(57)【特許請求の範囲】
【請求項１】
被検者の被検眼の視野内に位置する高輝度光により発生するグレアの度合を測定するグレア検査装置であって、
前記被検眼の視野の中央部に位置するように配置され、その被検眼に向けて所定の輝度で発光する光源と、
その光源を前記被検眼で見たときの光の広がりを読み取るために、前記光源から二以上の方向にそれぞれ所定間隔で配置された複数の指標とを備え、
前記複数の指標は、前記光源が取り付けられた本体部の表面において、前記光源を中心として放射状に延びる複数の方向に配置された発光体であって、その光源よりも低い輝度でかつ異なる色の発光体からなる発光指標を含み、
暗所内で前記光源を発光させたときに、前記被検眼の網膜にその光源を囲むように形成される光の広がり領域が前記発光指標によって読み取られることに基づき、前記グレアの度合が測定されることを特徴とするグレア検査装置。
【請求項２】
被検者の被検眼の視野内に位置する高輝度光により発生するグレアの度合を測定するグレア検査装置であって、
前記被検眼の視野の中央部に位置するように配置され、その被検眼に向けて所定の輝度で発光する光源と、
その光源を前記被検眼で見たときの光の広がりを読み取るために、前記光源から二以上の方向にそれぞれ所定間隔で配置された複数の指標と、
前記光源と被検眼との間に配置され、その光源から被検眼に到達する光の光量を抑制する光抑制部材とを備え、
前記複数の指標は、前記光源が取り付けられた本体部の表面において、前記光源を中心として放射状に延びる複数の第一ラインに沿って配置された発光体であって、その光源よりも低い輝度でかつ異なる色の発光体からなる発光指標と、前記光源を中心として両側を前記第一ラインで挟まれた領域内において、放射状に延びる第二ラインに沿って配置された非発光の指標とを含み、
暗所内で前記光源を発光させたときに、前記光抑制部材により前記被検眼に到達する光量を抑制しつつ、その被検眼の網膜に前記光源を囲むように形成される光の広がり領域が前記発光指標及び非発光の指標によって読み取られることに基づき、前記グレアの度合が測定されることを特徴とするグレア検査装置。
【請求項３】
前記光源と前記発光指標及び非発光の指標とは、その光源の光軸と交差状に位置する同一平面上に配置されるとともに、
前記光抑制部材は前記被検眼の近傍に配置されている請求項２に記載のグレア検査装置。
【請求項４】
前記光源は、視差を有しない実質的に単一の発光体で構成されるとともに、
前記発光指標は、前記光源を中心として周方向及び半径方向にそれぞれ等間隔で配置されている請求項１ないし３のいずれか１項に記載のグレア検査装置。
【請求項５】
前記グレアの度合は、前記光の広がり領域の面積を近似したものとして表わされる請求項１ないし４のいずれか１項に記載のグレア検査装置。
【請求項６】
被検者の被検眼の視野内に位置する高輝度光により発生するグレアの度合を測定するグレア検査方法であって、
前記被検眼の視野の中央部に位置するように配置される光源を暗所内でその被検眼に向けて所定の輝度で発光させ、
前記光源が取り付けられた本体部の表面において、前記光源を中心として放射状に延びる複数の方向に配置された発光体であって、その光源よりも低い輝度でかつ異なる色の発光体からなる発光指標によって、前記光源を前記被検眼で見たときにその被検眼の網膜にその光源を囲むように形成される光の広がり領域が読み取られることに基づき、前記グレアの度合が測定されることを特徴とするグレア検査方法。
【請求項７】
被検者の被検眼の視野内に位置する高輝度光により発生するグレアの度合を測定するグレア検査方法であって、
前記被検眼の視野の中央部に位置するように配置される光源を暗所内でその被検眼に向けて所定の輝度で発光させ、
前記光源と被検眼との間に配置される光抑制部材によりその光源から被検眼に到達する光の光量を抑制しつつ、前記光源が取り付けられた本体部の表面において、前記光源を中心として放射状に延びる複数の第一ラインに沿って配置された発光体であって、その光源よりも低い輝度でかつ異なる色の発光体からなる発光指標と、前記光源を中心として両側を前記第一ラインで挟まれた領域内において、放射状に延びる第二ラインに沿って配置された非発光の指標とによって、前記光源を前記被検眼で見たときにその被検眼の網膜にその光源を囲むように形成される光の広がり領域が読み取られることに基づき、前記グレアの度合が測定されることを特徴とするグレア検査方法。
【発明の詳細な説明】
【技術分野】
【０００１】
この発明は、眩しさを表わすグレアの度合を測定するグレア検査装置及びグレア検査方法に関する。
【背景技術】
【０００２】
グレアは視野内の輝度の不均一によって惹き起こされ、例えば、夜間に対向車のヘッドライトによって視機能の低下（グレア障害）を招いたり（減能グレア、中心グレア）、天井に設置された照明器具の明るさに不快感を感じたり（不快グレア、周辺グレア）する現象として知られている。また、ヘッドライトのような高輝度を有する光源の周囲には淡い光の輪（ハロー）ができ、視機能が一層低下することもある。
【０００３】
このような減能グレア（又はハロー）は、一般的に、角膜や水晶体に変形、混濁等を生じると、眼内に入った光が散乱し、網膜像が不鮮明になって見えにくくなることで発生しやすくなると考えられている。また、角膜の変形を矯正したり（角膜矯正術）、水晶体の混濁を除去したり（白内障手術）することによってもグレア障害が発生することがある。ところで、グレア（眩しさ）の度合を測定して治療（手術）の要否を判定したり、あるいは治療（手術）後のグレア障害の改善度合を評価したりするには、従来より、コントラスト感度測定を利用するのが一般的であった。
【０００４】
これは、グレア負荷（グレア発光）のない状態とある状態とでそれぞれコントラスト感度測定を行い、グレア発光なしで見えていたものがグレア発光ありではどの程度見えなくなるかを見出す方法である。図１０に示す例では、下の段に行くほど縞本数（空間周波数）が増え、右に行くほどコントラストが小さく（濃淡の差が小さく）なる縞視標コントラストチャート２１０を有するコントラスト感度測定装置２００を用いる。コントラストチャート２１０の外枠には、左右両側にランプ等のグレア光源２１１，２１１がそれぞれ取り付けられている。まず、グレア光源２１１，２１１の消灯状態において、被検者はそれぞれの段について、上下どちらに縞模様があるかを答え、縞視標コントラスト感度を測定する。次に、グレア光源２１１，２１１の点灯状態において、同様に縞視標コントラスト感度を測定し、グレア光源２１１，２１１の消灯状態からどの程度コントラスト感度が低下したかでグレア障害を評価する。
【０００５】
したがって、図１０に示すようなコントラスト感度測定を利用するグレア検査では、
（１）グレアの度合を直接的に測定するものではないため、検査結果と被検者（患者）のグレア障害の発生状況とは必ずしも一致しなかった。
（２）グレア発光の有無以外の条件を一定にしてコントラスト感度を２回測定する必要があるから、検査時間を要し、また被検者に集中力を強いることになる。
（３）測定精度を上げるために、文字・数字・符号・記号・模様・図形（例えばランドルト環）等を組み合わせたコントラストチャートを用いる場合には、検査時間が一層長くなるおそれがある。
【発明の開示】
【発明が解決しようとする課題】
【０００６】
本発明の課題は、グレア（眩しさ）の度合を直接的に測定することによって、被検者（患者）のグレア障害の発生状況やその改善度を数値化して把握することのできるグレア検査装置及びグレア検査方法を提供することにある。
【課題を解決するための手段及び発明の効果】
【０００７】
上記課題を解決するために、本発明に係るグレア検査装置は、
被検者の被検眼の視野内に位置する高輝度光により発生するグレアの度合を測定するグレア検査装置であって、
前記被検眼の視野の中央部に位置するように配置され、その被検眼に向けて所定の輝度で発光する光源と、
その光源を前記被検眼で見たときの光の広がりを読み取るために、前記光源から二以上の方向にそれぞれ所定間隔で配置された複数の指標とを備え、
前記複数の指標は、前記光源が取り付けられた本体部の表面において、前記光源を中心として放射状に延びる複数の方向に配置された発光体であって、その光源よりも低い輝度でかつ異なる色の発光体からなる発光指標を含み、
暗所内で前記光源を発光させたときに、前記被検眼の網膜にその光源を囲むように形成される光の広がり領域が前記発光指標によって読み取られることに基づき、前記グレアの度合が測定されることを特徴とする。
【０００８】
具体的には、
被検者の被検眼の視野内に位置する高輝度光により発生するグレアの度合を測定するグレア検査装置であって、
前記被検眼の視野の中央部に固定して配置され、その被検眼に向けて所定の輝度で発光する光源と、
その光源を前記被検眼で見たときの光の広がりを読み取るために、前記光源を中心として放射状に延びる複数のラインに沿ってそれぞれ所定間隔で配置された複数の指標とを備え、
暗所内で前記光源を発光させたときに、前記被検眼の網膜にその光源を囲むように形成される光の広がり領域が前記指標によって周方向の複数の箇所で読み取られることに基づき、前記グレアの度合が測定される場合がある。
【０００９】
また、上記課題を解決するために、本発明に係るグレア検査方法は、
被検者の被検眼の視野内に位置する高輝度光により発生するグレアの度合を測定するグレア検査方法であって、
前記被検眼の視野の中央部に位置するように配置される光源を暗所内でその被検眼に向けて所定の輝度で発光させ、
前記光源が取り付けられた本体部の表面において、前記光源を中心として放射状に延びる複数の方向に配置された発光体であって、その光源よりも低い輝度でかつ異なる色の発光体からなる発光指標によって、前記光源を前記被検眼で見たときにその被検眼の網膜にその光源を囲むように形成される光の広がり領域が読み取られることに基づき、前記グレアの度合が測定されることを特徴とする。
【００１０】
このように、光源を被検眼で見たときにその被検眼の網膜にその光源を囲むように形成される光の広がり領域を複数の指標（目盛）によって読み取り、グレアの度合を測定することによって、グレアの度合を直接的に測定することができる。したがって、グレアの度合によって被検者（患者）の症状（グレア障害の発生状況）を数値化して把握できるので、治療や手術の要否判定が客観的に行なえる。また、グレアの度合によって治療後や手術後の被検者（患者）の症状改善度（グレア障害の減少度合）を数値化して把握できるので、治療や手術によるグレア障害改善度の評価も客観的に行なえる。さらに、コントラスト感度測定を利用する従来のグレア検査のように同様の測定を２回繰り返す必要がないので、検査時間を短縮でき、被検者の集中力が持続しやすい。
【００１１】
ここで、光の広がりを読み取るための指標（目印、目盛）には、インキ等で印刷した指標（印刷指標）、絵具等で着色した指標（着色指標）、メッキ等で光沢を付けた指標（光沢指標）の他に、発光体からなる指標（発光指標）を用いることができる。発光体としては、検査時に自身のグレアを生じないように、蛍光体（例えば夜光塗料）、蓄光体（例えば蓄光塗料）、発光素子（発光ダイオード）等のルミネセンス発光体（温度輻射によらない発光体；冷光体）が望ましい。また、これらの発光体は、（１）液晶表示部（Liquid Crystal Display；ＬＣＤ）、（２）プラズマ表示部（Plasma Display Panel；ＰＤＰ）、（３）有機ＥＬ表示部（Organic Light Emitting Diode；ＯＬＥＤ／Organic Electroluminescence；ＯＥＬ）、等の「フラットパネル表示部（Flat Panel Display；ＦＰＤ）」として用いられる場合もある。さらに、指標には、干渉縞の形で記録された像を再生する技術であるホログラフィーを用いることもできる。なお、中央部に配置される光源は、減能グレアを発生させるために、ハロゲンランプ、発光ダイオード（ＬＥＤ）等の高輝度発光体が推奨される。
【００１２】
次に、上記課題を解決するために、本発明に係るグレア検査装置は、
被検者の被検眼の視野内に位置する高輝度光により発生するグレアの度合を測定するグレア検査装置であって、
前記被検眼の視野の中央部に位置するように配置され、その被検眼に向けて所定の輝度で発光する光源と、
その光源を前記被検眼で見たときの光の広がりを読み取るために、前記光源から二以上の方向にそれぞれ所定間隔で配置された複数の指標と、
前記光源と被検眼との間に配置され、その光源から被検眼に到達する光の光量を抑制する光抑制部材とを備え、
前記複数の指標は、前記光源が取り付けられた本体部の表面において、前記光源を中心として放射状に延びる複数の第一ラインに沿って配置された発光体であって、その光源よりも低い輝度でかつ異なる色の発光体からなる発光指標と、前記光源を中心として両側を前記第一ラインで挟まれた領域内において、放射状に延びる第二ラインに沿って配置された非発光の指標とを含み、
暗所内で前記光源を発光させたときに、前記光抑制部材により前記被検眼に到達する光量を抑制しつつ、その被検眼の網膜に前記光源を囲むように形成される光の広がり領域が前記発光指標及び非発光の指標によって読み取られることに基づき、前記グレアの度合が測定されることを特徴とする。
【００１３】
具体的には、
被検者の被検眼の視野内に位置する高輝度光により発生するグレアの度合を測定するグレア検査装置であって、
前記被検眼の視野の中央部に固定して配置され、その被検眼に向けて所定の輝度で発光する光源と、
その光源を前記被検眼で見たときの光の広がりを読み取るために、前記光源を中心として放射状に延びる複数のラインに沿ってそれぞれ所定間隔で配置された複数の指標と、
前記光源と被検眼との間に配置され、その光源から被検眼に到達する光の光量を抑制する光抑制部材とを備え、
暗所内で前記光源を発光させたときに、前記光抑制部材により前記被検眼に到達する光量を抑制しつつ、その被検眼の網膜に前記光源を囲むように形成される光の広がり領域が前記指標によって周方向の複数の箇所で読み取られることに基づき、前記グレアの度合が測定される場合がある。
【００１４】
また、上記課題を解決するために、本発明に係るグレア検査方法は、
被検者の被検眼の視野内に位置する高輝度光により発生するグレアの度合を測定するグレア検査方法であって、
前記被検眼の視野の中央部に位置するように配置される光源を暗所内でその被検眼に向けて所定の輝度で発光させ、
前記光源と被検眼との間に配置される光抑制部材によりその光源から被検眼に到達する光の光量を抑制しつつ、前記光源が取り付けられた本体部の表面において、前記光源を中心として放射状に延びる複数の第一ラインに沿って配置された発光体であって、その光源よりも低い輝度でかつ異なる色の発光体からなる発光指標と、前記光源を中心として両側を前記第一ラインで挟まれた領域内において、放射状に延びる第二ラインに沿って配置された非発光の指標とによって、前記光源を前記被検眼で見たときにその被検眼の網膜にその光源を囲むように形成される光の広がり領域が読み取られることに基づき、前記グレアの度合が測定されることを特徴とする。
【００１５】
このグレア検査装置（グレア検査方法）では、光源と被検眼との間に配置される光抑制部材により、その光源から被検眼に到達する光の光量が抑制される。つまり、光抑制部材により光源からの光の光量が抑制されることによって、被検眼の瞳孔を一定範囲に広げた状態（縮瞳を起こさない状態）に保持できるから、夜間に対向車に出会ったときのように実際に近い状態でのグレアの度合の測定ができる。なお、光抑制部材を使用する典型例は、サングラスを被検者が着用する場合であるが、それ以外の手段であってもよい。
【００１６】
そして、光源と指標とは、その光源の光軸と交差状（例えば直交状）に位置する同一平面上に配置されるとともに、光抑制部材は被検眼の近傍に配置されていることが望ましい。このように、光源と指標とが（例えば鉛直方向を向いた）同一平面上に配置されることによって、指標の読み取り誤差が小さくなる。また、光抑制部材が（例えば被検者にサングラスを着用させて）被検眼の近傍に配置されることによって、縮瞳がさらに起こりにくくなる。したがって、得られたグレアの度合は、被検眼のグレア障害の発生状況を反映したものとなる。
【００１７】
これらのグレア検査装置において、光源は、視差を有しない実質的に単一の発光体で構成されるとともに、指標は、光源を中心として周方向及び半径方向にそれぞれ等間隔で配置され、その光源よりも低い輝度でかつ異なる色の発光体で構成されていてもよい。光源を単一の発光体で構成することによって、光の広がり領域が実際よりも拡大傾向になることが防止される。例えば赤、緑、青の光の三原色の発光素子を組み合わせて同時発光させる白色ＬＥＤは、視差を有しない実質的に単一の発光体に該当する。また、指標を光源よりも低い輝度で異色の発光体で構成することによって、検査時に自身のグレアを生じにくく、かつ光源との区別もできて読み取りやすくなる。したがって、これらによりグレアの度合の検査精度が向上する。
【００１８】
また、グレアの度合は、光の広がり領域の面積を近似したものとして表わすことができる。面積近似によりグレアの度合は指標の読取値の２乗成分を含むこととなり、例えば指標の読取値の平均で表わす場合と比較して格差が大きくなるので、判定（評価）がやりやすくなる。また、光の広がり領域が非対称形状（特に、いびつな形状）であっても、２乗成分を含むことによって非対称な要素が相殺され、対称形状のものとの相対比較が可能となる。
【発明を実施するための最良の形態】
【００１９】
（実施例１）
以下、本発明の実施の形態につき、図面を参照して説明する。図１は本発明に係るグレア検査装置の一実施例を示す説明図、図２はその本体部の正面図である。図１のグレア検査装置１は、運搬台２に載置された箱状の本体部１０と、本体部１０（中央発光体１１）から被検眼Ｅまで所定距離Ｄ（例えば２ｍ）離れて椅子３に座った被検者Ｍが着用するサングラス２０（光抑制部材）とから主として構成される。
【００２０】
図２にも示すように、本体部１０は、箱体表面（視野）の中央部に固定して配置される単一の中央発光体１１（光源）と、中央発光体１１を被検眼Ｅで見たときの光の広がり（図３，図４参照）を読み取るための複数の指標１２，１３（目印、目盛）とを有する。これらの中央発光体１１と指標１２，１３とは鉛直状の同一平面（本体部１０の箱体表面）上に配置されている。したがって、この平面は、ほぼ水平方向となる中央発光体１１の光軸と直交状に位置するので、指標１２，１３を読み取る際の誤差が小さくなる。そして、中央発光体１１は、赤、緑、青の光の三原色の発光素子を組み合わせて被検眼Ｅに向けて高輝度で同時発光する白色ＬＥＤで構成されている。なお、中央発光体１１は、その他の色（波長）を有する単色又はフルカラーの発光ダイオード（ＬＥＤ）や所定の色（波長）を放つハロゲンランプ等を用いてもよい。
【００２１】
指標は、中央発光体１１とは異色（例えば赤色）のＬＥＤからなる発光指標１２（目盛発光体）と、黒インキ等で印刷された印刷指標１３とを有している。このうち、発光指標１２は、中央発光体１１を中心として上下左右の４方向に９０°間隔で放射状に延びる複数（４本）の第一ラインＬ１上に、複数個（例えば第一ラインＬ１毎に８個）が等間隔で固定・配置されている。一方、印刷指標１３は、中央発光体１１を中心として第一ラインＬ１の各中間部において斜め方向（α＝４５°）に放射状に延びる複数（４本）の第二ラインＬ２上に、複数個（例えば第二ラインＬ２毎に８個）が等間隔で配置されている。なお、各第二ラインＬ２を所定角度β（例えば１５°）で挟む両側には、それぞれ中央発光体１１を中心として放射状に延びる補助ラインＬ３が形成され、補助ラインＬ３上には複数個（例えば８個）の補助指標１３ａが黒インキ等で印刷されている。この補助指標１３ａは印刷指標１３を読み取りやすくするために設けられる。また、ラインＬ１，Ｌ２，Ｌ３の太さ（線幅）は、Ｌ１＞Ｌ２＞Ｌ３に形成されている。
【００２２】
本体部１０の内部には、中央発光体１１と発光指標１２とが搭載された発光基板１５（ＬＥＤ基板）が設けられ、交流電源１４に接続されている。中央発光体１１と発光指標１２の輝度は、遠隔操作装置（リモコン）１６のボタン１６ａ等の操作によって、それぞれ所定範囲で段階的又は連続的に調節できる。中央発光体１１の輝度は、健常者で光の広がりが最小範囲（図３参照）になるように、周囲の明るさ等に応じて（例えば、２５００〜３３００ｃｄ／ｍ２の範囲で）調節可能である。同様に、発光指標１２の輝度は、検査時に自身のグレアを生じないように、周囲の明るさや中央発光体１１の輝度等に応じて（例えば、１個につき中央発光体１１の輝度の１／１０００〜１／１０の範囲で）中央発光体１１よりも低輝度に調節可能である。
【００２３】
図１に示すように、サングラス２０は、中央発光体１１から被検眼Ｅに到達する光の光量を減少させるので、被検眼Ｅの瞳孔を開いた状態で指標１２，１３を読み取ってグレアの度合（光の広がり）を測定できる。
【００２４】
グレアの度合を測定するには、図１に示すグレア検査装置１を暗室（例えば、照度２０Ｌｘ以下）に設置し、中央発光体１１及び発光指標１２の輝度をリモコン１６により予め適正な範囲に調節しておく。例えば、健常者の被検眼Ｅの網膜に中央発光体１１を囲むように形成され（視神経を介して脳で知覚され）る光の広がり領域Ａの外縁が、図３のように最小の発光指標１２となるように調節する。なお、グレアの度合を測定すべき複数の状況（薄暮、深夜等）を再現するために、暗室内の照度を可変にしてもよい。
【００２５】
次に、被検者Ｍを椅子３に座らせ、サングラス２０を着用させる。図２のように、中央発光体１１及びすべて（３２個）の発光指標１２を点灯する。そして、被検者Ｍに対して計８本のラインＬ１，Ｌ２を順に指し示し、被検眼Ｅの網膜において中央発光体１１を囲むように形成され（視神経を介して脳で知覚され）る光の広がり領域Ａの外縁を、指標１２，１３を手掛かりとして計８箇所で読み取らせる。被検者Ｍによる読取値（指標値）を、本体部１０と同様に指標１２，１３の位置が印刷された記録紙３０（図３，図４参照）にプロットして、光の広がり領域Ａをグラフ化する。
【００２６】
この実施例では、図５に示すように、図３，図４に表わされた光の広がり領域Ａをグレアの度合（光の広がり度合）として数量化している。図５では、光の広がり領域Ａを第一ラインＬ１上の４個の読取値Ｓ１，Ｓ２，Ｓ３，Ｓ４で定量化する場合を示している。なお、指標１２，１３による光の広がり領域Ａの読み取り及びグレアの度合の算出・評価は、被検眼Ｅに対し片目ずつ行われる。
【００２７】
図５の（１）に示すように、読取値Ｓ１，Ｓ２，Ｓ３，Ｓ４の（絶対値の）単純平均を求め、グレアの度合としてもよい。また、図５の（２）に示すように、読取値Ｓ１，Ｓ２，Ｓ３，Ｓ４の２乗（面積）で近似したグレア指数ＧＩをグレアの度合としてもよい。図５の（２）のように、グレア指数ＧＩをグレアの度合とする場合には、（１）のように単純平均をとった場合に比べて、数値の変動幅を大きく表わすことができ、判定（評価）がやりやすくなる。さらに、光の広がり領域Ａが図４のように非対称形状であっても、面積で近似することによって非対称な要素が相殺され、対称形状のものとの相対比較が可能となる。なお、光の広がり領域Ａを第一及び第二ラインＬ１，Ｌ２上の８個の読取値で定量化する場合も同様に処理すればよい。
【００２８】
したがって、グレア指数ＧＩに閾値を設定することによって、グレア障害の判定やグレア障害改善度の術後評価が行なえる。例えば、閾値をＧＩ＝４に設定したとき、図３（ＧＩ＝１．０＜４）の事例では、「グレア障害の発生なし、又はグレア障害改善効果あり」と判定（評価）される。一方、図４（ＧＩ＝５．３＞４）の事例では、「グレア障害の発生あり、又はグレア障害改善効果なし」と判定（評価）される。
【００２９】
このように、被検眼Ｅの網膜に中央発光体１１を囲むように形成される光の広がり領域Ａを複数の指標（目盛）の読取値Ｓ１〜Ｓ４等として読み取り、グレア指数ＧＩ（グレアの度合；光の広がり度合）を算出することによって、グレアの度合を直接的に測定することができる。したがって、グレア指数ＧＩによって被検者Ｍの症状（グレア障害の発生状況）を数値化して把握でき、治療や手術の要否判定を客観的に行なえる。また、グレア指数ＧＩによって治療後や手術後の被検者Ｍの症状改善度（グレア障害の減少度合）を数値化して把握でき、治療や手術によるグレア障害改善度の評価も客観的に行なえる。
【００３０】
さらに、サングラス２０を着用することにより、中央発光体１１から被検眼Ｅに到達する光の光量が抑制される。これによって、被検眼Ｅの瞳孔を一定範囲に広げた状態（縮瞳を起こさない状態）に保持でき、夜間に対向車に出会ったときのように実際に近い状態でグレア指数ＧＩが測定できる。
【００３１】
なお、この実施例では、光の広がり領域Ａの外縁を読み取るための指標に、発光指標１２と印刷指標１３とが併用されている。これによって、読み取りの容易化を図りつつ指標自身によるグレアの発生が抑制され、省エネルギー化を図る上でも有効である。
【００３２】
（変形例）
図６に本体部の変形例を示す。図６に示す本体部１０’はホログラフィーによって形成されている。干渉縞の形で記録された像（ホログラム；図示せず）に、ミラー４１，４１と対物レンズ４２とを介してレーザー発信機４０からの再生照明光Ｌを当てることにより、本体部１０’の指標部分を再生像１２’に再生する。この再生像１２’に対して中央発光体１１（光源；白色ＬＥＤ）を付加する（発光させる）ことによって、ホログラフィーで形成された本体部１０’上で被検者Ｍによる各指標の読み取りが可能となる。
【００３３】
（実施例２）
次に、図７は本発明に係るグレア検査装置の他の実施例を示す説明図である。図７のグレア検査装置１０１では、本体部１０を収容する密閉状の検査ユニット１０４が運搬台２に載置されている。被検者Ｍは、検査ユニット１０４の一面に形成された開口から中を覗き込んだり顎を載せたりして、本体部１０（中央発光体１１）と対面する。したがって、本体部１０（中央発光体１１）から被検眼Ｅまでの距離Ｄ’（例えば５０ｃｍ）は実施例１（図１）の距離Ｄよりも短くてすむ。また、サングラス２０の代わりに、光抑制板１２０（光抑制部材）を検査ユニット１０４の内壁に固定状に設けておくことができる。
【００３４】
さらに、図７のグレア検査装置１０１では、グレア検査及びデータ処理の自動化が図られている。そのために、中央発光体１１と発光指標１２とが搭載された基板を制御基板１１５として用いている。
【００３５】
図８は図７のグレア検査装置１０１の電気的構成を示すブロック図である。制御基板１１５は、グレア検査及びデータ処理の自動化を図るために、ＣＰＵ１１５ｂ，ＲＡＭ１１５ｃ，ＲＯＭ１１５ｄ，入出力インターフェース１１５ａ，１１５ｅ等を有し、これらが送受信可能に接続されたマイクロコンピュータにより構成されている。ＣＰＵ１１５ｂは、ＲＯＭ１１５ｄから読み込んだ制御プログラムに基づいて自動グレア検査等を実行する。ＲＡＭ１１５ｃはそのプログラムを実行する際のワークエリアとして使用される。
【００３６】
検査ユニット１０４内の照度を設定調節するための検査ユニット内照度調節スイッチ１１６ａ（照度調節手段）が運搬台２の検査担当者側に設けられ（図７参照）、入力インターフェース１１５ａを介して制御基板１１５へ入力されている。そして、中央発光体１１の輝度を設定調節するための中央発光体輝度調節スイッチ１１６ｂ（光源輝度調節手段）が運搬台２の検査担当者側に設けられ（図７参照）、入力インターフェース１１５ａを介して制御基板１１５へ入力されている。同様に、発光指標１２の輝度を設定調節するための発光指標輝度調節スイッチ１１６ｃ（指標輝度調節手段）が運搬台２の検査担当者側に設けられ（図７参照）、入力インターフェース１１５ａを介して制御基板１１５へ入力されている。
【００３７】
ところで、検査ユニット内照度調節スイッチ１１６ａは、グレアの度合（グレア指数ＧＩ）を測定すべき複数の状況（薄暮、深夜等）を再現するために、検査ユニット１０４内の照度を（例えば、５０Ｌｘ以下の範囲で）段階的又は連続的に調節できる。また、中央発光体輝度調節スイッチ１１６ｂは、健常者で光の広がりが最小範囲（図３参照）になるように、検査ユニット１０４内の照度等に応じて、中央発光体１１の輝度を（例えば、２５００〜３３００ｃｄ／ｍ２の範囲で）段階的又は連続的に調節できる。同様に、発光指標輝度調節スイッチ１１１ｃは、検査時に発光指標１２のグレアを生じないように、検査ユニット１０４内の照度や中央発光体１１の輝度等に応じて、発光指標１２の輝度を（例えば、１個につき中央発光体１１の輝度の１／１０００〜１／１０の範囲で）段階的又は連続的に調節できる。
【００３８】
また、この実施例では、点灯する発光指標１２を第一ラインＬ１に沿って順次変化させることができ、その点灯タイミングを設定調節するための発光指標点灯タイミング調節スイッチ１１６ｄ（指標点灯タイミング調節手段）が運搬台２の検査担当者側に設けられ（図７参照）、入力インターフェース１１５ａを介して制御基板１１５へ入力されている。さらに、その発光指標１２の点灯変化を停止させることによって指標値（読取値）を決定するための発光指標ストップボタン１１７（指標停止手段）が運搬台２の被検者Ｍ側に設けられ（図７参照）、入力インターフェース１１５ａを介して制御基板１１５へ入力されている。
【００３９】
一方、制御基板１１５（ＣＰＵ１１５ｂ）からの制御信号が、出力インターフェース１１５ｅを介して液晶等の表示装置１３０、プリンタ１３１、外部記憶装置１３２等に出力されている。
【００４０】
ここで、図９により、発光指標１２の点灯変化と停止についてさらに具体的に説明する。図９では、１つの第一ラインＬ１上に位置する８個の発光指標１２は同時に点灯せず、内側（中央発光体１１側）から外側へ向って点灯するものが１個ずつ順次移動（変化）していく。上側の第一ラインＬ１において、内側から２番目の発光指標１２のみが点灯している。そして、所定の時間が経過すると、内側から２番目の発光指標１２は消灯し、その代わりに内側から３番目の発光指標１２が点灯する。このように上側の第一ラインＬ１において、発光指標１２の点灯位置が移動（変化）しているとき、被検者Ｍが光の広がり領域に合致するタイミングで発光指標ストップボタン１１７を押すと、点灯位置の移動が停止し、点灯中の発光指標１２が指標値（読取値）として確定する。右側の第一ラインＬ１はこのようにして内側から３番目の発光指標１２が点灯し、指標値（読取値）として確定した状態を表わしている。
【００４１】
このように、１つの第一ラインＬ１上では発光指標１２は１個しか点灯させないので、検査時にグレアを生じにくく、省エネルギー化を図ることもできる。なお、前述した発光指標点灯タイミング調節スイッチ１１６ｄは、発光指標１２の点灯位置の移動タイミング（すなわち１個の点灯時間の長さ）を調節するためのものである。
【００４２】
以上のようにして確定された指標値（読取値）、図５（実施例１）により算出されたグレアの度合（グレア指数ＧＩ等）のデータは、図８のプリンタ１３１により、図３又は図４（実施例１）のように記録紙３０に出力することができる。また、図８に示す表示装置１３０の画面上に表示することもできる。さらに、これらのデータを集計・解析するために、図８に示す外部記憶装置１３２に蓄積しておくこともできる。
【００４３】
なお、実施例２（図７〜図９）において、実施例１（図１〜図５）と共通する機能を有する部分には同一符号を付して説明を省略する。
【００４４】
以上の例では、第一ラインＬ１上に発光指標１２を配置し、第二ラインＬ２上に印刷指標１３を配置したが、第二ラインＬ２上に発光指標１２を配置してもよい。また、第一ラインＬ１上に印刷指標１３を配置してもよい。なお、第一ラインＬ１上の発光指標１２又は第二ラインＬ２上の印刷指標１３のみによって光の広がり領域Ａを読み取ってもよい。
【００４５】
慣例的な呼称に倣って、本発明の名称をグレア検査装置（方法）としたが、冒頭にも記載した通り、本発明のグレア（現象）にはハロー（現象）を概念的に含む。
【図面の簡単な説明】
【００４６】
【図１】本発明に係るグレア検査装置の一実施例を示す説明図。
【図２】図１の本体部の正面図。
【図３】図１のグレア検査装置による測定結果の一例を示すグラフ。
【図４】図１のグレア検査装置による測定結果の他の例を示すグラフ。
【図５】図３又は図４の読取値を面積に近似させて指数化する方法の一例を示す説明図。
【図６】本体部の変形例を示す説明図。
【図７】本発明に係るグレア検査装置の他の実施例を示す説明図。
【図８】図７のグレア検査装置の電気的構成を示すブロック図。
【図９】図７における発光指標の点灯状態を示す正面図。
【図１０】従来のグレア検査方法を示す説明図。
【符号の説明】
【００４７】
１，１０１      グレア検査装置
１０            本体部
１１            中央発光体（光源；白色ＬＥＤ）
１２            発光指標（指標；目盛発光体；赤色ＬＥＤ）
１３            印刷指標（指標）
１４            電源
１５            発光基板（ＬＥＤ基板）
１６            遠隔操作装置
２０            サングラス（光抑制部材）
１１５          制御基板
１２０          光抑制板（光抑制部材）
Ａ              光の広がり領域
Ｅ              被検眼
ＧＩ            グレア指数（グレアの度合）
【図１】
0004819452.tif 000002
【図２】
0004819452.tif 000003
【図３】
0004819452.tif 000004
【図４】
0004819452.tif 000005
【図５】
0004819452.tif 000006
【図６】
0004819452.tif 000007
【図７】
0004819452.tif 000008
【図８】
0004819452.tif 000009
【図９】
0004819452.tif 000010
【図１０】
0004819452.tif 000011